(57)【要約】【課題】  情報装置に用いられる切り換え表示処理装置の提供。【解決手段】  情報装置に第１及び第２表示処理装置が設けられ、該第１及び第２表示処理装置の表示信号出力がそれぞれスイッチに対応し、該スイッチのオンオフにより、該第１及び第２表示処理装置の表示信号のディスプレイへの出力が選択／制御され、セレクタが、該第１及び第２表示処理装置に対応するスイッチの導通を制御／選択して第１及び第２表示処理装置の表示信号をディスプレイに出力するのに用いられ、且つ電源供給モジュールを制御して電源を選択した表示処理装置に供給し、マイクロプロセッサが表示処理装置を駆動して使用者が必要な表示性能により適合する表示処理装置を選択できるようにし、情報装置の機能性を高め電池電力を節約する。【選択図】        図１
0003107450.tif 000002
【実用新案登録請求の範囲】
【請求項１】
情報装置に用いられる切り換え表示処理装置において、
第１表示処理装置と、
第２表示処理装置と、
該第１表示処理装置或いは該第２表示処理装置を駆動するマイクロプロセッサと、
該第１表示処理装置或いは第２表示処理装置の表示信号を受け取り並びに画像を表示するディスプレイと、
導通状態下で該第１表示処理装置の表示信号を該ディスプレイに伝送する第１スイッチと、
導通状態下で該第２表示処理装置の表示信号を該ディスプレイに伝送する第２スイッチと、
電源を該情報装置の各ハードウエア設備に供給する電源供給モジュールと、
表示信号を出力させる表示処理装置を選択し、該電源供給モジュールの電源供給回路を制御して該表示信号を出力させる表示処理装置に電源を供給させ、並びに表示信号を出力させる表示処理装置に対応するスイッチの導通を許可して表示信号を該ディスプレイに伝送させるセレクタと、
を具えたことを特徴とする、情報装置に用いられる切り換え表示処理装置。
【請求項２】
請求項１記載の情報装置に用いられる切り換え表示処理装置において、第１表示処理装置が低性能表示処理装置とされ、第２表示処理装置が高性能表示処理装置とされたことを特徴とする、情報装置に用いられる切り換え表示処理装置。
【請求項３】
請求項２記載の情報装置に用いられる切り換え表示処理装置において、第１表示処理装置と第２表示処理装置が３Ｄ  Ｂｅｎｃｈ  Ｍａｒｋ２００１表示性能試験ソフトの試験で、分数がそれぞれ１５００分より小さいものと１５００分以上であるものとされたことを特徴とする、情報装置に用いられる切り換え表示処理装置。
【請求項４】
請求項１記載の情報装置に用いられる切り換え表示処理装置において、第１表示処理装置と第２表示処理装置がそれぞれディスプレイチップとディスプレイカードとされたことを特徴とする、情報装置に用いられる切り換え表示処理装置。
【請求項５】
請求項１記載の情報装置に用いられる切り換え表示処理装置において、第１表示処理装置と第２表示処理装置がいずれもディスプレイチップとされたことを特徴とする、情報装置に用いられる切り換え表示処理装置。
【請求項６】
請求項１記載の情報装置に用いられる切り換え表示処理装置において、第１表示処理装置と第２表示処理装置がいずれもディスプレイカードとされたことを特徴とする、情報装置に用いられる切り換え表示処理装置。
【請求項７】
請求項１記載の情報装置に用いられる切り換え表示処理装置において、第１表示処理装置と第２表示処理装置がそれぞれディスプレイカードとディスプレイチップとされたことを特徴とする、情報装置に用いられる切り換え表示処理装置。
【請求項８】
請求項１記載の情報装置に用いられる切り換え表示処理装置において、セレクタが電子スイッチとされたことを特徴とする、情報装置に用いられる切り換え表示処理装置。
【請求項９】
請求項１記載の情報装置に用いられる切り換え表示処理装置において、セレクタが情報装置のＢＩＯＳの表示処理装置選択設定項目とされたことを特徴とする、情報装置に用いられる切り換え表示処理装置。
【請求項１０】
請求項１記載の情報装置に用いられる切り換え表示処理装置において、情報装置がノートブック型コンピュータとされたことを特徴とする、情報装置に用いられる切り換え表示処理装置。
【請求項１１】
情報装置に用いられる切り換え表示処理装置において、
第１表示処理装置と、
第２表示処理装置と、
該第１表示処理装置或いは該第２表示処理装置を駆動するマイクロプロセッサと、
該第１表示処理装置或いは第２表示処理装置の表示信号を受け取り並びに画像を表示するディスプレイと、
該表示信号を該ディスプレイに伝送するスイッチモジュールと、
電源を該情報装置の各ハードウエア設備に供給する電源供給モジュールと、
表示信号を出力させる表示処理装置を選択し、該電源供給モジュールの電源供給回路を制御して該表示信号を出力させる表示処理装置に電源を供給させ、並びにスイッチモジュールの導通を許可して表示信号を該ディスプレイに伝送させるセレクタと、
を具えたことを特徴とする、情報装置に用いられる切り換え表示処理装置。
【請求項１２】
請求項１１記載の情報装置に用いられる切り換え表示処理装置において、スイッチモジュールが第１スイッチと第２スイッチを具え、導通状態下で第１表示処理装置或いは第２表示処理装置の表示信号に対応しそれを伝送し、該セレクタが表示信号を出力させる表示処理装置に対応するスイッチを導通させて、表示信号を該ディスプレイに伝送させることを特徴とする、情報装置に用いられる切り換え表示処理装置。
【請求項１３】
請求項１記載の情報装置に用いられる切り換え表示処理装置において、第１表示処理装置が低性能表示処理装置とされ、第２表示処理装置が高性能表示処理装置とされたことを特徴とする、情報装置に用いられる切り換え表示処理装置。
【請求項１４】
請求項１３記載の情報装置に用いられる切り換え表示処理装置において、第１表示処理装置と第２表示処理装置が３Ｄ  Ｂｅｎｃｈ  Ｍａｒｋ２００１表示性能試験ソフトの試験で、分数がそれぞれ１５００分より小さいものと１５００分以上であるものとされたことを特徴とする、情報装置に用いられる切り換え表示処理装置。
【請求項１５】
請求項１１記載の情報装置に用いられる切り換え表示処理装置において、第１表示処理装置と第２表示処理装置がそれぞれディスプレイチップとディスプレイカードとされたことを特徴とする、情報装置に用いられる切り換え表示処理装置。
【請求項１６】
請求項１１記載の情報装置に用いられる切り換え表示処理装置において、第１表示処理装置と第２表示処理装置がいずれもディスプレイチップとされたことを特徴とする、情報装置に用いられる切り換え表示処理装置。
【請求項１７】
請求項１１記載の情報装置に用いられる切り換え表示処理装置において、第１表示処理装置と第２表示処理装置がいずれもディスプレイカードとされたことを特徴とする、情報装置に用いられる切り換え表示処理装置。
【請求項１８】
請求項１１記載の情報装置に用いられる切り換え表示処理装置において、第１表示処理装置と第２表示処理装置がそれぞれディスプレイカードとディスプレイチップとされたことを特徴とする、情報装置に用いられる切り換え表示処理装置。
【請求項１９】
請求項１１記載の情報装置に用いられる切り換え表示処理装置において、セレクタが電子スイッチとされたことを特徴とする、情報装置に用いられる切り換え表示処理装置。
【請求項２０】
請求項１１記載の情報装置に用いられる切り換え表示処理装置において、セレクタが情報装置のＢＩＯＳの表示処理装置選択設定項目とされたことを特徴とする、情報装置に用いられる切り換え表示処理装置。
【請求項２１】
請求項１１記載の情報装置に用いられる切り換え表示処理装置において、情報装置がノートブック型コンピュータとされたことを特徴とする、情報装置に用いられる切り換え表示処理装置。
【請求項２２】
情報装置に用いられる切り換え表示処理装置において、
第１表示処理装置と、
第２表示処理装置と、
該第１表示処理装置或いは該第２表示処理装置を駆動するマイクロプロセッサと、
該第１表示処理装置或いは第２表示処理装置の表示信号を受け取り並びに画像を表示するディスプレイと、
該第１表示処理装置或いは該第２表示処理装置の表示信号出力を制御／選択する切り換えモジュールと、
を具えたことを特徴とする、情報装置に用いられる切り換え表示処理装置。
【請求項２３】
請求項２２記載の情報装置に用いられる切り換え表示処理装置において、切り換えモジュールがスイッチモジュールとセレクタを具え、該スイッチモジュールが表示信号を該ディスプレイに伝送し、該セレクタが表示信号を出力させる表示処理装置を選択し、電源供給モジュールの電源供給回路を制御して電源を表示信号を出力させる表示処理装置に供給させ、ならびにスイッチモジュールを導通させて該表示信号を該ディスプレイに伝送させることを特徴とする、情報装置に用いられる切り換え表示処理装置。
【請求項２４】
請求項２３記載の情報装置に用いられる切り換え表示処理装置において、スイッチモジュールが第１スイッチと第２スイッチを具え、導通状態下で第１表示処理装置或いは第２表示処理装置に対応してその表示信号を伝送し、該セレクタが表示信号を出力させる表示処理装置に対応するスイッチを導通させて、表示信号を該ディスプレイに伝送させることを特徴とする、情報装置に用いられる切り換え表示処理装置。
【請求項２５】
請求項２２記載の情報装置に用いられる切り換え表示処理装置において、第１表示処理装置が低性能表示処理装置とされ、第２表示処理装置が高性能表示処理装置とされたことを特徴とする、情報装置に用いられる切り換え表示処理装置。
【請求項２６】
請求項２５記載の情報装置に用いられる切り換え表示処理装置において、第１表示処理装置と第２表示処理装置が３Ｄ  Ｂｅｎｃｈ  Ｍａｒｋ２００１表示性能試験ソフトの試験で、分数がそれぞれ１５００分より小さいものと１５００分以上であるものとされたことを特徴とする、情報装置に用いられる切り換え表示処理装置。
【請求項２７】
請求項２２記載の情報装置に用いられる切り換え表示処理装置において、第１表示処理装置と第２表示処理装置がそれぞれディスプレイチップとディスプレイカードとされたことを特徴とする、情報装置に用いられる切り換え表示処理装置。
【請求項２８】
請求項２２記載の情報装置に用いられる切り換え表示処理装置において、第１表示処理装置と第２表示処理装置がいずれもディスプレイチップとされたことを特徴とする、情報装置に用いられる切り換え表示処理装置。
【請求項２９】
請求項２２記載の情報装置に用いられる切り換え表示処理装置において、第１表示処理装置と第２表示処理装置がいずれもディスプレイカードとされたことを特徴とする、情報装置に用いられる切り換え表示処理装置。
【請求項３０】
請求項２２記載の情報装置に用いられる切り換え表示処理装置において、第１表示処理装置と第２表示処理装置がそれぞれディスプレイカードとディスプレイチップとされたことを特徴とする、情報装置に用いられる切り換え表示処理装置。
【請求項３１】
請求項２２記載の情報装置に用いられる切り換え表示処理装置において、セレクタが電子スイッチとされたことを特徴とする、情報装置に用いられる切り換え表示処理装置。
【請求項３２】
請求項２２記載の情報装置に用いられる切り換え表示処理装置において、セレクタが情報装置のＢＩＯＳの表示処理装置選択設定項目とされたことを特徴とする、情報装置に用いられる切り換え表示処理装置。
【請求項３３】
請求項２２記載の情報装置に用いられる切り換え表示処理装置において、情報装置がノートブック型コンピュータとされたことを特徴とする、情報装置に用いられる切り換え表示処理装置。
【考案の詳細な説明】
【技術分野】
【０００１】
本考案は一種の表示処理構造に係り、特に、情報装置に複数の表示処理装置が取り付けられて、使用者が実行環境の要求により、切り換えモジュールにより適合する表示処理装置を選択し良好な画像表示効果を獲得できるようにする、情報装置に用いられる切り換え表示処理装置に関する。
【背景技術】
【０００２】
忙しい２１世紀にあって、携帯に便利な携帯式情報装置は仕事をする者にとって相当に重要なワーキングパートナーである。例えば、ノートブック型コンピュータは、出張する者が長時間交通工具に搭乗する間も、仕事の処理、例えば、電子メールの送受信や、報告書作成や一般データ処理を行なうことができ、時間を浪費せず、また、長時間の旅行中に音楽や映画を楽しむこともでき、長い旅程の疲労を癒す。このほか、外部の会議で報告や会社製品の販売促進を行なう会社員は、携帯式情報装置で会議記録や報告或いは製品紹介を行なうことができ、これにより重い会議資料、報告データ或いは製品カタログ等を持ち運ぶ必要がなくなり、大幅に仕事の便利性と効率が増す。
【０００３】
コンピュータソフトウエアは民衆の要求に応じて、その機能はますます強大となっており、特に画像処理機能が最たるものであり、このため情報装置に取り付けられる情報処理装置、例えばディスプレイカード、或いはディスプレイチップセットは高性能でなければ高い表示機能のコンピュータソフトウエア、例えば３Ｄソフト、３Ｄ画像処理ソフト及びゲームソフト等と相容しない。しかし一方で、高性能の表示処理装置を使用すると、高い電力量を消耗し、情報装置が低機能の表示ソフトを実行するのに高性能の表示処理装置を使用すると、長時間電池による電力供給の下、情報装置の使用時間が短縮されてしまう。しかし、現在の情報装置は内部に一つしか表示処理装置が設置されていないため、使用者の不便を形成した。
【考案の開示】
【考案が解決しようとする課題】
【０００４】
このため本考案は周知の情報装置が僅かに単一の表示処理装置しか具備しない問題を鑑み、情報装置に用いられる表示処理構造を提供する。この情報装置には複数の表示処理装置が設けられ、使用者が情報装置の実行環境により、適合する表示処理装置に切り換えることができ、これにより上述の問題を解決する。
【０００５】
本考案の主要な目的は、情報装置に高性能表示処理装置と低性能表示処理装置を取り付け、使用者が高い表示性能のコンピュータソフトウエアを実行したい時、高性能の表示処理装置に切り換えることができ、情報装置の使用の性能を高められるようにすることにある。
【０００６】
本考案のもう一つの目的は、情報装置に高性能表示処理装置と低性能表示処理装置を取り付け、使用者が低性能の実行環境或いは低表示性能のコンピュータソフトウエアを実行する時、低性能の表示処理装置に切り換えることができ、携帯式情報装置の電池の電力消耗量を減らし、電源を節約し、これにより情報装置の使用時間を節約できるようにすることにある。
【０００７】
上述の目的を達成するため、本考案の情報装置に用いられる切り換え表示処理装置は、表示信号を処理する第１及び第２表示処理装置と、該第１及び第２表示処理装置を駆動するマイクロプロセッサと、該第１及び第２表示処理装置の表示信号出力を制御／選択する切り換えモジュールと、該第１表示処理装置、第２表示処理装置、マイクロプロセッサ及び切り換えモジュールに電源を提供する電源供給モジュールとを具えている。該切り換えモジュールは更に第１スイッチと第２スイッチを具え、それらはそれぞれ前述の第１及び第２表示処理装置に対応し、対応する表示信号をディスプレイに伝送する。セレクタが該電源供給モジュールの電力供給回路及び第１及び第２スイッチの導通を制御／選択するのに用いられ、前述の第１或いは第２表示処理装置の表示信号をディスプレイに伝送し並びに画像を表示させる。
【課題を解決するための手段】
【０００８】
請求項１の考案は、情報装置に用いられる切り換え表示処理装置において、
第１表示処理装置と、
第２表示処理装置と、
該第１表示処理装置或いは該第２表示処理装置を駆動するマイクロプロセッサと、
該第１表示処理装置或いは第２表示処理装置の表示信号を受け取り並びに画像を表示するディスプレイと、
導通状態下で該第１表示処理装置の表示信号を該ディスプレイに伝送する第１スイッチと、
導通状態下で該第２表示処理装置の表示信号を該ディスプレイに伝送する第２スイッチと、
電源を該情報装置の各ハードウエア設備に供給する電源供給モジュールと、
表示信号を出力させる表示処理装置を選択し、該電源供給モジュールの電源供給回路を制御して該表示信号を出力させる表示処理装置に電源を供給させ、並びに表示信号を出力させる表示処理装置に対応するスイッチの導通を許可して表示信号を該ディスプレイに伝送させるセレクタと、
を具えたことを特徴とする、情報装置に用いられる切り換え表示処理装置としている。
請求項２の考案は、請求項１記載の情報装置に用いられる切り換え表示処理装置において、第１表示処理装置が低性能表示処理装置とされ、第２表示処理装置が高性能表示処理装置とされたことを特徴とする、情報装置に用いられる切り換え表示処理装置としている。
請求項３の考案は、請求項２記載の情報装置に用いられる切り換え表示処理装置において、第１表示処理装置と第２表示処理装置が３Ｄ  Ｂｅｎｃｈ  Ｍａｒｋ２００１表示性能試験ソフトの試験で、分数がそれぞれ１５００分より小さいものと１５００分以上であるものとされたことを特徴とする、情報装置に用いられる切り換え表示処理装置としている。
請求項４の考案は、請求項１記載の情報装置に用いられる切り換え表示処理装置において、第１表示処理装置と第２表示処理装置がそれぞれディスプレイチップとディスプレイカードとされたことを特徴とする、情報装置に用いられる切り換え表示処理装置としている。
請求項５の考案は、請求項１記載の情報装置に用いられる切り換え表示処理装置において、第１表示処理装置と第２表示処理装置がいずれもディスプレイチップとされたことを特徴とする、情報装置に用いられる切り換え表示処理装置としている。
請求項６の考案は、請求項１記載の情報装置に用いられる切り換え表示処理装置において、第１表示処理装置と第２表示処理装置がいずれもディスプレイカードとされたことを特徴とする、情報装置に用いられる切り換え表示処理装置としている。
請求項７の考案は、請求項１記載の情報装置に用いられる切り換え表示処理装置において、第１表示処理装置と第２表示処理装置がそれぞれディスプレイカードとディスプレイチップとされたことを特徴とする、情報装置に用いられる切り換え表示処理装置としている。
請求項８の考案は、請求項１記載の情報装置に用いられる切り換え表示処理装置において、セレクタが電子スイッチとされたことを特徴とする、情報装置に用いられる切り換え表示処理装置としている。
請求項９の考案は、請求項１記載の情報装置に用いられる切り換え表示処理装置において、セレクタが情報装置のＢＩＯＳの表示処理装置選択設定項目とされたことを特徴とする、情報装置に用いられる切り換え表示処理装置としている。
請求項１０の考案は、請求項１記載の情報装置に用いられる切り換え表示処理装置において、情報装置がノートブック型コンピュータとされたことを特徴とする、情報装置に用いられる切り換え表示処理装置としている。
請求項１１の考案は、情報装置に用いられる切り換え表示処理装置において、
第１表示処理装置と、
第２表示処理装置と、
該第１表示処理装置或いは該第２表示処理装置を駆動するマイクロプロセッサと、
該第１表示処理装置或いは第２表示処理装置の表示信号を受け取り並びに画像を表示するディスプレイと、
該表示信号を該ディスプレイに伝送するスイッチモジュールと、
電源を該情報装置の各ハードウエア設備に供給する電源供給モジュールと、
表示信号を出力させる表示処理装置を選択し、該電源供給モジュールの電源供給回路を制御して該表示信号を出力させる表示処理装置に電源を供給させ、並びにスイッチモジュールの導通を許可して表示信号を該ディスプレイに伝送させるセレクタと、
を具えたことを特徴とする、情報装置に用いられる切り換え表示処理装置としている。
請求項１２の考案は、請求項１１記載の情報装置に用いられる切り換え表示処理装置において、スイッチモジュールが第１スイッチと第２スイッチを具え、導通状態下で第１表示処理装置或いは第２表示処理装置の表示信号に対応しそれを伝送し、該セレクタが表示信号を出力させる表示処理装置に対応するスイッチを導通させて、表示信号を該ディスプレイに伝送させることを特徴とする、情報装置に用いられる切り換え表示処理装置としている。
請求項１３の考案は、請求項１記載の情報装置に用いられる切り換え表示処理装置において、第１表示処理装置が低性能表示処理装置とされ、第２表示処理装置が高性能表示処理装置とされたことを特徴とする、情報装置に用いられる切り換え表示処理装置としている。
請求項１４の考案は、請求項１３記載の情報装置に用いられる切り換え表示処理装置において、第１表示処理装置と第２表示処理装置が３Ｄ  Ｂｅｎｃｈ  Ｍａｒｋ２００１表示性能試験ソフトの試験で、分数がそれぞれ１５００分より小さいものと１５００分以上であるものとされたことを特徴とする、情報装置に用いられる切り換え表示処理装置としている。
請求項１５の考案は、請求項１１記載の情報装置に用いられる切り換え表示処理装置において、第１表示処理装置と第２表示処理装置がそれぞれディスプレイチップとディスプレイカードとされたことを特徴とする、情報装置に用いられる切り換え表示処理装置としている。
請求項１６の考案は、請求項１１記載の情報装置に用いられる切り換え表示処理装置において、第１表示処理装置と第２表示処理装置がいずれもディスプレイチップとされたことを特徴とする、情報装置に用いられる切り換え表示処理装置としている。
請求項１７の考案は、請求項１１記載の情報装置に用いられる切り換え表示処理装置において、第１表示処理装置と第２表示処理装置がいずれもディスプレイカードとされたことを特徴とする、情報装置に用いられる切り換え表示処理装置としている。
請求項１８の考案は、請求項１１記載の情報装置に用いられる切り換え表示処理装置において、第１表示処理装置と第２表示処理装置がそれぞれディスプレイカードとディスプレイチップとされたことを特徴とする、情報装置に用いられる切り換え表示処理装置としている。
請求項１９の考案は、請求項１１記載の情報装置に用いられる切り換え表示処理装置において、セレクタが電子スイッチとされたことを特徴とする、情報装置に用いられる切り換え表示処理装置としている。
請求項２０の考案は、請求項１１記載の情報装置に用いられる切り換え表示処理装置において、セレクタが情報装置のＢＩＯＳの表示処理装置選択設定項目とされたことを特徴とする、情報装置に用いられる切り換え表示処理装置としている。
請求項２１の考案は、請求項１１記載の情報装置に用いられる切り換え表示処理装置において、情報装置がノートブック型コンピュータとされたことを特徴とする、情報装置に用いられる切り換え表示処理装置としている。
請求項２２の考案は、情報装置に用いられる切り換え表示処理装置において、
第１表示処理装置と、
第２表示処理装置と、
該第１表示処理装置或いは該第２表示処理装置を駆動するマイクロプロセッサと、
該第１表示処理装置或いは第２表示処理装置の表示信号を受け取り並びに画像を表示するディスプレイと、
該第１表示処理装置或いは該第２表示処理装置の表示信号出力を制御／選択する切り換えモジュールと、
を具えたことを特徴とする、情報装置に用いられる切り換え表示処理装置としている。
請求項２３の考案は、請求項２２記載の情報装置に用いられる切り換え表示処理装置において、切り換えモジュールがスイッチモジュールとセレクタを具え、該スイッチモジュールが表示信号を該ディスプレイに伝送し、該セレクタが表示信号を出力させる表示処理装置を選択し、電源供給モジュールの電源供給回路を制御して電源を表示信号を出力させる表示処理装置に供給させ、ならびにスイッチモジュールを導通させて該表示信号を該ディスプレイに伝送させることを特徴とする、情報装置に用いられる切り換え表示処理装置としている。
請求項２４の考案は、請求項２３記載の情報装置に用いられる切り換え表示処理装置において、スイッチモジュールが第１スイッチと第２スイッチを具え、導通状態下で第１表示処理装置或いは第２表示処理装置に対応してその表示信号を伝送し、該セレクタが表示信号を出力させる表示処理装置に対応するスイッチを導通させて、表示信号を該ディスプレイに伝送させることを特徴とする、情報装置に用いられる切り換え表示処理装置としている。
請求項２５の考案は、請求項２２記載の情報装置に用いられる切り換え表示処理装置において、第１表示処理装置が低性能表示処理装置とされ、第２表示処理装置が高性能表示処理装置とされたことを特徴とする、情報装置に用いられる切り換え表示処理装置としている。
請求項２６の考案は、請求項２５記載の情報装置に用いられる切り換え表示処理装置において、第１表示処理装置と第２表示処理装置が３Ｄ  Ｂｅｎｃｈ  Ｍａｒｋ２００１表示性能試験ソフトの試験で、分数がそれぞれ１５００分より小さいものと１５００分以上であるものとされたことを特徴とする、情報装置に用いられる切り換え表示処理装置としている。
請求項２７の考案は、請求項２２記載の情報装置に用いられる切り換え表示処理装置において、第１表示処理装置と第２表示処理装置がそれぞれディスプレイチップとディスプレイカードとされたことを特徴とする、情報装置に用いられる切り換え表示処理装置としている。
請求項２８の考案は、請求項２２記載の情報装置に用いられる切り換え表示処理装置において、第１表示処理装置と第２表示処理装置がいずれもディスプレイチップとされたことを特徴とする、情報装置に用いられる切り換え表示処理装置としている。
請求項２９の考案は、請求項２２記載の情報装置に用いられる切り換え表示処理装置において、第１表示処理装置と第２表示処理装置がいずれもディスプレイカードとされたことを特徴とする、情報装置に用いられる切り換え表示処理装置としている。
請求項３０の考案は、請求項２２記載の情報装置に用いられる切り換え表示処理装置において、第１表示処理装置と第２表示処理装置がそれぞれディスプレイカードとディスプレイチップとされたことを特徴とする、情報装置に用いられる切り換え表示処理装置としている。
請求項３１の考案は、請求項２２記載の情報装置に用いられる切り換え表示処理装置において、セレクタが電子スイッチとされたことを特徴とする、情報装置に用いられる切り換え表示処理装置としている。
請求項３２の考案は、請求項２２記載の情報装置に用いられる切り換え表示処理装置において、セレクタが情報装置のＢＩＯＳの表示処理装置選択設定項目とされたことを特徴とする、情報装置に用いられる切り換え表示処理装置としている。
請求項３３の考案は、請求項２２記載の情報装置に用いられる切り換え表示処理装置において、情報装置がノートブック型コンピュータとされたことを特徴とする、情報装置に用いられる切り換え表示処理装置としている。
【考案の効果】
【０００９】
本考案は情報装置に複数の表示処理装置が設けられて、使用者が情報装置が実行するコンピュータソフトウエアの表示性能の要求に応じて、表示処理装置を選択し切り換え使用できるようにし、これにより情報装置の使用機能を高め、且つ電池の電力消耗量を減らし、情報装置の使用時間を延長できるようにする。
【考案を実施するための最良の形態】
【００１０】
図１は本考案の情報装置に用いられる切り換え表示処理装置の構造の実施ブロック図である。図示されるように、本実施例では、情報装置には第１表示処理装置１０と第２表示処理装置１５が取り付けられ、情報装置はノートブック型コンピュータとされうる。第１及び第２表示処理装置１０、１５はそれぞれ低性能と高性能の表示処理装置とされ、表示性能試験の試験ソフト３Ｄ  Ｂｅｎｃｈ  Ｍａｒｋ２００１試験により、分数は１５００分以下が第１表示処理装置１０、１５００分以上が第２表示処理装置１５とされる。そのうち、第１、第２表示処理装置１０、１５はＶＧＡ（Ｖｉｄｅｏ  Ｇｒａｐｈｉｃ  Ａｒｒａｙ）、ＳＶＧＡ（Ｓｕｐｅｒ  ＶＧＡ）、或いはＸＧＡ（Ｅｘｔｅｎｄｅｄ  Ｇｒａｐｈｉｃ  Ａｒｒａｙ）等のディスプレイカード或いはディスプレイチップとされる。
マイクロプロセッサ２０は第１及び第２表示処理装置１０、１５を駆動し、且つ第１及び第２表示処理装置１０、１５の伝送する表示データを受け取り、その後、処理後の表示データを第１及び第２表示処理装置１０、１５に戻して処理させ、処理後の表示データは第１及び第２表示処理装置１０、１５のＲＡＭに保存され、最後にデジタルの表示データは第１及び第２表示処理装置１０、１５のＲＡＭデジタル／アナログ変換器（Ｒａｎｄｏｍ  Ａｃｃｅｓｓ  Ｍｅｍｏｒｙ  Ｄｉｇｉｔａｌ／Ａｎａｌｏｇ  Ｃｏｎｖｅｒｔｅｒ；ＲＡＭＤＡＣ）で変換処理されアナログ信号の表示信号とされ、ディスプレイ３０に伝送され、画像が表示される。
【００１１】
電源供給モジュール４０は、電源を情報装置の各種ハードウエア設備に供給し、切り換えモジュール５０はセレクタ５２、第１スイッチ５６、第２スイッチ５８を具え、セレクタ５２は使用者が実行したいコンピュータソフトウエアの表示性能要求に応じて、低性能の第１表示処理装置１０或いは高性能の第２表示処理装置１５を選択し、セレクタ５２は電子スイッチとされて、キーボード上のキーが使用者の押圧選択操作に供されるか、或いは情報装置のＢＩＯＳの設定選択項に設計され、即ちＢＩＯＳ中に表示処理装置選択設定項目が設けられて使用者の選択による第１及び第２表示処理装置１０、１５の切り換え使用に供される。
【００１２】
電源供給モジュールは表示信号入力ポートを具え、これにより第１スイッチ５６と第２スイッチ５８の二つのスイッチの切り換えにより、第１及び第２表示処理装置１０、１５の表示信号のディスプレイ３０への伝送の切り換えが達成される。切り換えモジュール５０の第１及び第２スイッチ５６、５８はそれぞれ第１及び第２表示処理装置１０、１５に対応し、第１及び第２スイッチ５６、５８が導通する状態では、第１及び第２表示処理装置１０、１５はそれぞれ対応する第１及び第２表示処理装置１０、１５を通して表示信号をディスプレイ３０に送り、画像を表示させる。第１及び第２スイッチ５６、５８はセレクタ５２の制御を受け、使用者がセレクタ５２を操作した後、セレクタ５２は使用者が第１処理装置１０或いは第２表示処理装置１５のいずれを選択したかにより、電源供給モジュール４０を制御して電力供給回路を切り換え、電源を選択された第１表示処理装置１０或いは第２表示処理装置１５に伝送させ、且つ信号を対応する第１スイッチ５６或いは第２スイッチ５８に送り、第１スイッチ５６或いは第２スイッチ５８を制御して導通させる。例えばセレクタ５２が低電圧準位０を発生すれば、第１スイッチ５６の導通を許可し、同様にもし信号が高電圧準位１であれば、第２スイッチ５８の導通を許可する。
【００１３】
図２は本考案の情報装置に用いられる切り換え表示処理装置の実施フローチャートである。使用者がコンピュータソフトウエアを実行したい時、この実施例では一般文書処理を例とするが、ステップＳ１のように、使用者がセレクタ５２を操作して適当な表示処理装置（第１表示処理装置１０又は第２表示処理装置１５）を選択し、例えばキーボード上に設けられた選択キーを押して低性能の第１表示処理装置１０を選択する。その後、使用者は電源を押圧して起動する時、ステップＳ２に示されるように、セレクタ５２は電源供給モジュール４０の電力供給回路（図示せず）を制御して電源を第１表示処理装置１０に伝送させ、電源が第２表示処理装置１５に供給されないようにし、同時に信号を第１スイッチ５６に送る。続いて、第１スイッチ５６がステップＳ３に示されるように、受信した信号が低準位信号（Ｌｏｗ）であるかを判断し、もし低準位信号であれば続いてステップＳ４を実行し、第１スイッチ５６を導通させ、第１表示処理装置１０に表示信号をディスプレイ３０に伝送させ、最後に、ディスプレイ３０がステップＳ６のように表示信号を受信し並びに表示画像を出力する。
【００１４】
同様に、使用者が情報装置で例えば３Ｄドローイングソフト、３Ｄ画像処理ソフトとゲームソフト等の高表示性能のコンピュータソフトウエアを実行したい時、まず予め設けられたキーを押して高性能の第２表示処理装置１５を選択する。使用者が電源を押圧して起動後、該セレクタ５２は電源供給モジュール４０の電力供給回路を制御して電源を第２表示処理装置１５に伝送させ、且つ高準位信号（Ｈｉｇｈ）を第２スイッチ５８に送る。その後、ステップＳ５に示されるように、第２スイッチ５８の導通を許可し、第２表示処理装置１５に表示信号をディスプレイ３０に伝送させて、画像を表示させる。
【００１５】
本考案は使用者が一般の低表示性能のコンピュータソフトウエアを使用する時、低表示性能の第１表示処理装置１０を選択して情報装置の電池電力消耗量を減らすことができ、これにより情報装置の使用時間を延長できる。また高表示性能のコンピュータソフトウエアを使用する時、高性能の第２表示処理装置１５を選択して情報装置の表示性能を高めることができる。
【００１６】
図３は本考案のもう一つの実施例の実施ブロック図である。図３に示されるように、この実施例では第１スイッチ５６と第２スイッチ５８がモジュール化されてスイッチモジュール５５とされ、その他の装置は図１の実施例の機能と同じである。このほか、セレクタ５２と該スイッチモジュール５５の導通信号伝送インタフェースは単方向伝送（図示されるとおり）とされ、第１スイッチ５６及び第２スイッチ５８が同時にセレクタ５２の伝送する準位信号を受け取るが、ただしそれぞれが対応して導通する準位信号が異なり、例えば第１スイッチ５６は低準位信号にのみ対応し導通し、第２スイッチ５８は高準位信号にのみ対応して導通する。
【００１７】
総合すると、本考案の情報装置には複数の表示処理装置（第１及び第２表示処理装置１０、１５）が取り付けられて、使用者が実行するソフトウエアの要求により、適合する表示処理装置（第１又は第２表示処理装置１０又は１５）を選択でき、低表示性能のソフトウエアを実行したい時は、低表示性能の第１表示処理装置１０を選択し切り換えることができ、従来の高性能の表示処理装置を使用した情報装置の電池電源消耗の問題を改善する。また、高表示性能のコンピュータソフトウエアを実行する時は、高性能の第２表示処理装置１５に切り換えることで、情報装置の使用上の機能性を高めることができる。
【００１８】
ゆえに本考案は新規性、進歩性及び産業上の利用価値を具えている。なお、以上の実施例は本考案の範囲を限定するものではなく、本考案に基づきなしうる細部の修飾或いは改変は、いずれも本考案の請求範囲に属するものとする。
【図面の簡単な説明】
【００１９】
【図１】本考案の情報装置に用いられる切り換え表示処理装置の構造の実施ブロック図である。
【図２】本考案の情報装置に用いられる切り換え表示処理装置の実施フローチャートである。
【図３】本考案の本考案のもう一つの実施例の実施ブロック図である。
【符号の説明】
【００２０】
１０  第１表示処理装置
１５  第２表示処理装置
２０  マイクロプロセッサ
３０  ディスプレイ
４０  電源供給モジュール
５０  切り換えモジュール
５２  セレクタ
５５  スイッチモジュール
５６  第１スイッチ
５８  第２スイッチ
【図１】
0003107450.tif 000003
【図２】
0003107450.tif 000004
【図３】
0003107450.tif 000005